(57)【要約】【課題】上ユニットに加熱部を、下ユニットにグリル部を有する組込み式加熱調理器の組込みと、組込み後のグリル部の前後の位置調整を簡単にすること。【解決手段】略箱状の上外郭７の開口部７ａを覆う天板１１および上外郭７内に収納され天板１１上に載置された被加熱調理容器を加熱する加熱体１２を有する上ユニットと、前面側から開閉可能なグリル扉２６を有するグリル部１７を収納し、かつその左右幅が上外郭７の左右幅よりも小さい下外郭６を有する下ユニット５と、を備え、上ユニット４と下ユニット５は、互いに結合された状態でキッチン上面開口３から挿入し組み込まれる組込み型加熱調理器であって、グリル部１７は、下外郭６に対して前後に移動調整可能としたことにより、キッチン２への組込み作業を容易にし、かつ組込み後、容易に前後位置を調整しキッチン前面とグリル部前面を同一面にすることができる。【選択図】図２
2015031402.tif 000002
【特許請求の範囲】
【請求項１】
上面に開口部が形成された略箱状の上外郭、前記開口部を覆う天板および前記上外郭内に収納され、前記天板上に載置された被加熱調理容器を加熱する加熱体を有する上ユニットと、前面側から開閉可能な扉を有するグリル部を収納し、かつその左右幅が前記上外郭の左右幅よりも小さい下外郭を有する下ユニットと、を備え、前記上ユニットと前記下ユニットは、互いに結合された状態でキッチン上面開口から挿入し組み込まれる組込み型加熱調理器であって、前記グリル部は、前記下外郭に対して前後に移動調整可能とした、組込み型加熱調理器。
【請求項２】
前記グリル部は、側面に前後方向へ長く形成された長孔を備え、前記グリル部は、前記長孔を貫通し前記グリル部に螺合される締結部を緩めることにより前後に移動可能とし、前記締結部を締め付けることにより前記下外郭と固定される、請求項１記載の組込み型加熱調理器。
【請求項３】
一方の前記グリル部の側面と前記一方のグリル部の側面の側の前記下外郭の側面との空間距離よりも前記一方の前記グリル部の側面の側の前記下外郭の側面と前記一方の前記グリル部の側面の側の前記上外郭の側面との空間距離の方が大きくなるように、前記上ユニットの下方に前記下ユニットを取り付け結合した請求項２記載の組込み型加熱調理器。
【請求項４】
前記グリル部は、前記グリル部を前方から後方に貫通する締結部を備え、前記下外郭は、前記締結部が螺合される被締結部を備え、前記グリル部は、前記締結部を締め付けることにより前記下外郭に固定される請求項１記載の組込み型加熱調理器。
【請求項５】
前記グリル部を前面側から取り外し可能とした請求項１〜４のいずれか１項に記載の組込み型加熱調理器。
【請求項６】
前記上外郭の底面の下面に取り付けられ被摺動部が形成された上前後調整部および前記グリル部の上部に取り付けられ摺動部が形成された下前後調整部を備え前記被摺動部上を前記摺動部が前後に摺動することで前記グリル部が前記下外郭に対して前後方向に移動するように構成された前後調整機構を有し、前記下外郭に設けられた固定部が前記下外郭の外側から操作されることにより前記グリル部が前記下外郭に固定される請求項１記載の組込み型加熱調理器。
【請求項７】
前記上ユニットに設けられたグリル排気口と前記グリル部に設けられた加熱庫とを伸縮自在な伸縮部を有する排気筒で連結する構成とした請求項１記載の組込み型加熱調理器。
【請求項８】
前記グリル部に設けられた加熱庫に連結する下排気筒と、前記上ユニットに設けられたグリル排気口に連結する上排気筒とを摺動自在に嵌合する構成とした請求項１記載の組込み型加熱調理器。
【請求項９】
前記下外郭と前記グリル部との隙間を塞ぐカバーを有する請求項１記載の加熱調理器。
【請求項１０】
前記グリル部は、少なくとも人の指が掛かる程度の凸部または凹部を有し、前記凸部または前記凹部に人の指を掛けて前記グリル部を前記下外郭に対して前後に移動調整することができるようにした請求項１記載の加熱調理器。
【請求項１１】
前記グリル部は、前記グリル部を前記下外郭に対して前後に移動調整するための取手を有する請求項１記載の加熱調理器。
【請求項１２】
前記グリル部は、前記扉の前面を覆うグリルパネルを備え、前記グリルパネルは前記扉に交換可能に取付けられた請求項１記載の加熱調理器。
【発明の詳細な説明】
【技術分野】
【０００１】
本発明は、調理物を調理するために使用される加熱調理器、特に一般家庭などのキッチンに組み込まれて使用される加熱調理器に関するものである。
【背景技術】
【０００２】
従来、一般家庭などのキッチンの上面に設けられた開口（以下、単に、キッチン上面開口と呼ぶ）から落とし込んで組み込まれる加熱調理器においては、施工性の面から、キッチン上面で加熱調理を行うための加熱体部と、キッチン前面で開閉される魚等を調理するためのグリル部が一つの外郭ケース内に収納され一体となって組み込まれる加熱調理器が一般的に知られている（例えば特許文献１参照）。
【０００３】
また、キッチン上面で加熱調理を行うための加熱体を持つ上ユニットと、グリル部を持つ下ユニットとが結合した状態でキッチンに組み込まれ、組込み状態で下ユニットを前後調整することで、キッチン前面と下ユニット前面が同一面になるように調整し、見栄えを良くする加熱調理器も知られている（例えば特許文献２参照）。
【０００４】
図１４は特許文献２に記載された従来の加熱調理器を示すものである。上ユニット１００は、略箱体形状に形成された上ケース１０１と、この上ケース１０１の上部に設けられた平板状のトッププレート１０２等から構成され、トッププレート１０２の下面側、つまり上ケース１０１内には、誘導コイル１０４（電磁誘導加熱コイル）等からなる複数の発熱体が配設されている。誘導コイル１０４の下部には、誘導コイル１０４を冷却するための冷却ファン１０５が設けられている。また、上ケース１０１の下面後方には、冷却ファン１０５が吸気するための吸気口１０６が設けられている。
【０００５】
トッププレート１０２には、タイマー設定や誘導コイル１０４の加熱量などを操作する複数の操作ボタンを備えた操作表示部１０８が設けられている。また、トッププレート１０２の後方には、排気口１０９が設けられており、加熱調理器内の加熱された空気や、グリル部１１０内で肉や魚などの被加熱物を加熱調理する際に発生する煙、蒸気、及び臭いなどを加熱調理器の外部に排出できるようになっている。下ユニット１３０は略箱体形状に形成された下ケース１１１を有しており、その内部にはグリル部１１０が設けられると共に、前面部には前面操作部１１２が設けられている。グリル部１１０は、下ユニット１３０の略中央部、前面操作部１１２はグリル部１１０の左右に設けられている。この前面操作部１１２は、操作表示部１０８同様誘導コイル１０４の加熱量等を操作できるようになっている。上ケース１０１の両側部には、上ユニット１００と下ユニット１３０とを結合する結合部材１１３が設けられている。
【０００６】
また、グリル部の前板と外郭ケースとの間で寸法調整することで、キッチン組込み状態において、グリル部の前板とキッチン前面とを同一面となるように構成した加熱調理器が知られている（例えば特許文献３参照）。
【０００７】
図１５、図１６および図１７は特許文献３に記載された従来の加熱調理器を示すものである。
【０００８】
図１５に示されるように外郭ケース２０１は、上面が被加熱調理物を載置するためのトッププレート２０２で覆われている。トッププレート２０２の下には加熱コイル２０３が設けられており、さらに加熱コイル２０３に電流を流す駆動回路２０４を具備している。冷却ファン２０５は、外郭ケース２０１内に設けられており、駆動回路２０４内の発熱部品や加熱コイル２０３に冷却風を送っている。図１６に示されるように、前板２０６は、外郭ケース２０１の前面に摺動できるように嵌合し、前板２０６の両側面に開けられた長孔２０７に固定部である固定ネジ２０８を外郭ケース２０１の固定孔２０９に締込んで固定している。図１７に示されるように、グリル部２１０は、前板２０６と連結して摺動する。図１５に示されるように、厨房家具２１１は、上面に開口部２１２を有した天板２１３を備えている。
【０００９】
上記構成において、外郭ケース２０１の上部やトッププレート２０２を厨房家具２１１の天板２１３の開口部２１２とほぼ同寸法まで拡げても、前板２０６と外郭ケース２０１との間で寸法調整することで、本体の前面である前板２０６と厨房家具２１１の前面との位置合わせができるようにしている。また、位置合わせ後は、前板２０６に開けられた長孔２０７を介して固定ネジ２０８を外郭ケース２０１の固定孔２０９に締め付けることで使用中に前板２０６が位置ずれすることを防止している。
【先行技術文献】
【特許文献】
【００１０】
【特許文献１】特開平１０−３０２９４９号公報
【特許文献２】特開２００９−３６３８３号公報
【特許文献３】特開２００２−２４３１７５号公報
【発明の概要】
【発明が解決しようとする課題】
【００１１】
しかしながら、特許文献１に記載されているような、キッチン上面で加熱調理を行うための加熱体部と、キッチン前面で開閉されるグリル部が一つの外郭ケース内に収納され一体となって組み込まれる従来の加熱調理器は、加熱調理器の前面部がキッチンの前面部と同一平面上に配置されない場合があり、見栄えが悪くなるという問題点があった。
【００１２】
また、図１４に示すような従来の加熱調理器は、上ユニット１００と下ユニット１３０が結合部材１１３によって結合されて、下ユニット１３０全体が移動することにより前後位置調整をする構成であり、かつグリル部１１０は下ユニットと連結しているので、グリル部をメンテナンス、修理等する場合には、一度キッチン上面開口から本体全体を取り出し、グリル部１１０を取り外してからメンテナンス、修理等をする必要があるという課題があった。また、上ユニット１００の両側部に結合部材１１３を設けて結合し、前面で前後の位置調整を行うため、前後位置調整機構が複雑になるという課題も有していた。
【００１３】
また、図１５〜図１７に示すような従来の加熱調理器は、外郭ケース２０１内に、加熱コイル２０３や制御部２０４、グリル部２１０等すべてが収納されており、かつ外郭ケース２０１と厨房家具２１１との間にはわずかな空間しかないことが多く、厨房家具２１１に組込まれた状態で、上記前後調整をした後に固定部２０８で固定するのは容易ではないという問題点があった。また、グリル部２１０のみを容易に交換、修理することができないという問題点もあった。
【００１４】
本発明は、前記従来の課題を解決するもので、グリル部を備え、キッチンに組み込んで使用する組込み型加熱調理器において、キッチンに組込み込まれた状態で、キッチン前面とグリル部の前面とを同一面に調整する作業を簡単にできるようにし、さらにメンテナンス性に優れたグリル部とすることを目的とするものである。
【課題を解決するための手段】
【００１５】
上面に開口部が形成された略箱状の上外郭、開口部を覆う天板および上外郭内に収納され、天板上に載置された被加熱調理容器を加熱する加熱体を有する上ユニットと、前面側から開閉可能な扉を有するグリル部を収納し、かつその左右幅が上外郭の左右幅よりも小さい下外郭を有する下ユニットと、を備え、上ユニットと下ユニットは、互いに結合された状態でキッチン上面開口から挿入し組み込まれる組込み型加熱調理器であって、グリル部は、下外郭に対して前後に移動調整可能としたものである。
【００１６】
上記構成にすることにより、下外郭が上外郭の左右幅よりも小さいため、キッチンの前面開口から人の手を容易に差し入れてグリル部を把持し、キッチン組込み状態で、グリル部を前後方向に移動して、キッチン前面と同一面に調整することができる。また、グリル部のみをキッチン組込み状態で前面に引き出し、キッチンの外へと引き出すことができる。
【発明の効果】
【００１７】
本発明の組込み型加熱調理器は、キッチン組込み状態で、人の手によって、グリル部の前後位置を調整し、キッチン前面と同一面にすることができるため、様々なキッチンに対応して外観品位を向上させることができる。
【００１８】
また、キッチン組込み状態でキッチン前面開口から手を差し入れて、グリル部を把持し、前方向に移動させ、キッチン前面よりグリル部のみをキッチン外に突出させることが可能になるため、グリル部のメンテナンスが手軽になり、メンテナンス性に優れた組込み式加熱調理器を提供することができる。
【図面の簡単な説明】
【００１９】
【図１】本発明の実施形態１における組込み型加熱調理器のキッチンへの設置状態を示す斜視図
【図２】同組込み型加熱調理器の分解斜視図
【図３】同組込み型加熱調理器のグリル部の前後位置調整構成を示す要部部分斜視図
【図４】同組込み型加熱調理器の側面断面図
【図５】本発明の実施形態２における組込み型加熱調理器の正面断面図
【図６】本発明の実施形態３における組込み型加熱調理器のグリル部の前後位置調整構成を示す要部斜視図
【図７】同組込み型加熱調理器のグリル部の前後位置調整構成の他の構成を示す要部斜視図
【図８】本発明の実施形態４における組込み型加熱調理器のグリル部の前後位置調整構成を示す要部斜視図
【図９】本発明の実施形態５における組込み型加熱調理器の側面断面図
【図１０】本発明の実施形態６における組込み型加熱調理器のキッチンへの設置状態を示す斜視図
【図１１】同組込み型加熱調理器の他の構成を示す斜視図
【図１２】本発明の実施形態７における組込み型加熱調理器の下面斜視図
【図１３】本発明の実施形態８における加組込み型熱調理器の側面断面図
【図１４】従来の加熱調理器の下面斜視図
【図１５】他の従来の加熱調理器の断面図
【図１６】同加熱調理器の前方詳細図
【図１７】同加熱調理器の全体図
【発明を実施するための形態】
【００２０】
第１の発明は、上面に開口部が形成された略箱状の上外郭、前記開口部を覆う天板および前記上外郭内に収納され、前記天板上に載置された被加熱調理容器を加熱する加熱体を有する上ユニットと、前面側から開閉可能な扉を有するグリル部を収納し、かつその左右幅が前記上外郭の左右幅よりも小さい下外郭を有する下ユニットと、を備え、前記上ユニットと前記下ユニットは、互いに結合された状態でキッチン上面開口から挿入し組み込まれる組込み型加熱調理器であって、前記グリル部は、前記下外郭に対して前後に移動調整可能とする構成にしたことにより、上ユニットと下ユニットを同時にキッチンに組み込むことができると共に、キッチンに組込んだ状態において、下外郭とキッチン壁面とにより大きな空間を確保することができ、キッチン前面開口から手を差し入れて、グリル部を把持することができる。これにより、キッチンへの本体の組込作業が容易でありかつ本体をキッチンに組込みこんだ状態で、人の手によってグリル部の前後位置を調整し、キッチン前面とグリル部の前面とを同一面にすることができるため、より多くの種類の形状のキッチンに対応して、本体の組込作業を容易にするとともに、キッチン前面の外観品位を向上させることができる。
【００２１】
また、グリル部をキッチン組込み状態で前方向に移動させ、キッチン前面よりグリル部のみをキッチン外に突出させることが可能になる。この際、キッチン前面開口から容易に手を差し入れて、グリル部を把持することができるので、グリル部のみを簡単に突出させることができ、グリル部の故障点検や、グリル部のお掃除やメンテナンスが手軽になり、サービス、メンテナンス性に優れた組込み型加熱調理器を提供することができる。
【００２２】
第２の発明は、特に第１の発明の前記グリル部は、側面に前後方向へ長く形成された長孔を備え、前記グリル部は、前記長孔を貫通し前記グリル部に螺合される締結部を緩めることにより前後に移動可能とし、前記締結部を締め付けることにより前記下外郭と固定される構成にしたことにより、締結部が緩められかつ長孔を貫通した状態で、締結部が長孔に沿ってグリル部を前後に移動することで、グリル部の前面がキッチン前面と略同一面になるように前後位置を調整することができる。また当該調整が完了した後、締結部を締めつけることで、グリル部と下外郭とを固定できる。
【００２３】
第３の発明は、特に第２の発明の一方の前記グリル部の側面と前記一方のグリル部の側面の側の前記下外郭の側面との空間距離よりも前記一方の前記グリル部の側面の側の前記下外郭の側面と前記一方の前記グリル部の側面の側の前記上外郭の側面との空間距離の方が大きくなるように、前記上ユニットの下方に前記下ユニットを取り付け結合した構成にすることにより、グリル部の構成部や下外郭の横幅を小さくすることができるため、構成材料の使用量の低減が可能になり、コストを低減することができる。
【００２４】
また、上記構成により、同じ側の下外郭の側面と上外郭の側面との空間距離が大きくなるため、キッチン壁面と対向する下外郭の側面との間の空間を大きくすることができ、手をキッチン前面より差し入れて締結部を操作して、グリル部を下外郭に固定させるたり緩めさせたりすることができるようになり、容易に前後位置調整が可能になるため、外観品位を向上し、かつ、グリル部のメンテナンス性に優れた組込み型加熱調理器を提供することができる。
【００２５】
第４の発明は、特に第１の発明の前記グリル部は、前記グリル部を前方から後方に貫通する締結部を備え、前記下外郭は、前記締結部が螺合される被締結部を備え、前記グリル部は、前記締結部を締め付けることにより前記下外郭に固定される構成にすることにより、キッチン組込み状態において、キッチン前面開口から人の手を差し入れてグリル部の前後位置調整をした後、本体の前方より締結部を締め付けることによって、グリル部と下外郭とを固定することができるため、本体の設置作業を簡便に行うことができるようになり、外観品位を向上し、かつ、グリル部のメンテナンス性に優れた組込み型加熱調理器を提供することができる。
【００２６】
第５の発明は、特に第１〜４のいずれかの発明のグリル部を前面側から取り外し可能とした構成により、下外郭とキッチン壁面とに空間があるので、キッチン組込み状態において、キッチン前面開口から容易に手を差し入れて、グリル部を把持し、グリル部を前方向に移動させ、キッチン前面よりグリル部のみをキッチン外に取り外すことが可能になるため、グリル部の故障点検や、グリル部のお掃除やメンテナンス、さらには、グリル部のみの交換が手軽になり、サービス、メンテナンス性に優れた組込み型加熱調理器を提供することができる。
【００２７】
第６の発明は、特に第１の発明の前記上外郭の底面の下面に取り付けられ被摺動部が形成された上前後調整部および前記グリル部の上部に取り付けられ摺動部が形成された下前後調整部を備え前記被摺動部上を前記摺動部が前後に摺動することで前記グリル部が前記下外郭に対して前後方向に移動するように構成された前後調整機構を有し、前記下外郭に設けられた固定部が前記下外郭の外側から操作されることにより前記グリル部が前記下外郭に固定される構成とすることにより、グリル部の前後位置調整は、上前後調整部と下前後調整部の摺動によって行われるため、複雑な機構なしにグリル部の前後位置を調整し、外観品位を向上させることができる。また、下外郭に設けられた固定部が下外郭の外側から操作されることによりグリル部が下外郭に固定されるので、上前後調整部と下前後調整部の上下のガタツキを抑制し、当該加熱調理器の出荷、運搬、キッチン設置時などに損傷や破損することを防ぐことができるようになり、高品質で外観品位を向上させた組込み型加熱調理器を提供することができる。
【００２８】
第７の発明は、特に第１の発明の前記上ユニットに設けられたグリル排気口と前記グリル部に設けられた加熱庫とを伸縮自在な伸縮部を有する排気筒で連結する構成としたことにより、グリル部の前後位置移動に連動して伸縮部も伸縮するため、グリル部の前後の位置移動による排気筒の長さの変動を伸縮部の伸縮で吸収することで、容易に前後調整することができ、外観品位を向上させた組込み型加熱調理器を提供することができる。
【００２９】
第８の発明は、特に第１の発明のグリル部に連結した下排気筒と、本体の外側と連結する上排気筒とを摺動自在に嵌合する構成としたことにより、グリル部の前後位置調整をする伸縮自在な排気筒を安価に形成することができ、コスト的に有利で、かつ外観品位を向上させた組込み型加熱調理器を提供することができる。
【００３０】
第９の発明は、特に第１の発明の前記下外郭と前記グリル部との隙間を塞ぐカバーを有する構成にすることにより、グリル部の前後位置調整を行い、グリル部と下外郭とに隙間ができても、それをカバーすることができるため、外観を損ねず、かつ、グリル部からの熱気をキッチン壁面等に直接当たらないようにすることができるため、高品質で外観品位の高い組み込み型加熱調理器を提供することができる。
【００３１】
第１０の発明は、特に第１の発明の前記グリル部は、少なくとも人の指が掛かる程度の凸部または凹部を有し、前記凸部または前記凹部に人の指を掛けて前記グリル部を前記下外郭に対して前後に移動調整することができるようにした構成にすることにより、前記突起に指を掛けてグリル部の前後位置調整を行うことができるため、より簡単に前後調整が可能になり、外観品位を向上させた組込み型加熱調理器を提供することができる。
【００３２】
第１１の発明は、特に第１の発明の前記グリル部は、前記グリル部を前記下外郭に対して前後に移動調整するための取手を有する構成にすることにより、前記取手を把持して、グリル部の前後位置調整を行うことができるため、より簡単に前後調整が可能になり、外観品位を向上させた組込み型加熱調理器を提供することができる。
【００３３】
第１２の発明は、特に第１の発明の前記グリル部は、前記扉の前面を覆うグリルパネルを備え、前記グリルパネルは前記扉に交換可能に取付けられた構成にすることにより、様々なデザインのキッチン前面と調和がとれるように、種々のキッチン前面デザインに対応したグリルパネルを取り付けられ、さらにそれら種々のグリルパネルの厚みが異なる場合においても、グリル部の前後位置を調整することができるため、様々なキッチン前面と同一面にすることが可能となり、外観デザイン性および外観品位に優れる組込み型加熱調理器を提供することができる。
【００３４】
以下、本発明の実施の形態について図面を参照しながら説明する。なお、この実施の形態によって本発明が限定されるものではない。
【００３５】
（実施の形態１）
図１は本発明の第１の実施の形態１における組込み型加熱調理器のキッチンへの設置状態を示す斜視図、図２は同組込み型加熱調理器の分解斜視図、図３は同組込み型加熱調理器のグリル部の前後位置調整構成を示す要部部分斜視図、図４は同組込み型加熱調理器の側面断面図をそれぞれ示すものである。
【００３６】
本体１は、上ユニット４と下ユニット５を備え、キッチン上面開口３から上ユニット４と下ユニット５が結合された状態で組み込み設置される。下ユニット５の外郭を構成する下外郭６の左右幅は、上ユニット４の外郭を構成する上外郭７の左右幅よりも小さい。上ユニット４と下ユニット５は、下外郭６の上部が上外郭７の下部と結合することによって、一体化されている。上外郭７と下外郭６との左右幅の差が設けられたことによって、キッチン前面開口８の左右の壁面と下外郭６との間に空間９（空間距離Ｃが確保される部分）が形成される。それらの空間を隠すため、たとえば、デザイン性のある化粧板で構成されるサイドパネル１０が、本体１のキッチン２への組込み設置後に、本体１もしくはキッチン２に取り付けられる。
【００３７】
図２において、上ユニット４は、上面に開口部７ａが形成された略箱状の上外郭７と、上外郭７の上面の開口部７ａを覆うように配された被加熱調理容器を載置するための天板１１を備える。上外郭７内には、被加熱調理容器を加熱する加熱体１２（例えば電磁誘導加熱によって被加熱調理容器を加熱する誘導加熱コイルなど）が収納されており、加熱体１２の火力などの制御および加熱状況の表示のための操作部１３が収納されている。上外郭７内には、さらに加熱体１２を出力制御するためのインバーター基板１４と、インバーター基板１４や、加熱体１２を冷却するための冷却ファン１５とが収納されている。冷却ファン１５から吹き出されインバーター基板１４および加熱体１２を冷却した冷却風は、主として天板１１の後方に設けられた排気口１６から排気されることで、上外郭７内から本体１外部に排熱される冷却構成となっている。
【００３８】
下ユニット５は、魚等を調理するためのグリル部１７と、グリル部１７を収納し、グリル使用時の発熱を遮熱する下外郭６を備える。グリル部１７のヒーター（図示せず）による加熱制御は、上ユニット４に収納されたインバーター基板１４に設けられた制御回路で行われる。グリル部１７のヒーターの温度を検知するための信号線およびヒーターに電源を供給するための制御線２９が、上外郭７に形成された接続穴３０を通ってグリル部１７とインバーター基板１４とを接続している。なお、グリル部１７の調理制御をインバーター基板１４に設けた回路で行わず、下外郭６内にグリル部１７の調理制御を行う回路を収納してもよい。
【００３９】
グリル部１７は、調理物を庫内に入れて調理するための調理庫１８と、調理庫１８に連結され、グリル部１７の前面開口を形成する前板１９とを備える。図３に示されるように、前板１９は下外郭６の前方端部と、その外側で嵌合する。前板１９の側面には、前後方向に水平に長い長孔２０が形成されている。長孔２０を貫通する固定ネジ２１が下外郭６に配された固定孔３３に螺合される。
【００４０】
この構成により、固定ネジ２１が緩められかつ長孔２０を貫通した状態で、固定ネジ２１が長孔２０に沿って前板１９を前後に移動することで、調理庫１８も連動して前後に移動するので、グリル部１７の前面がキッチン前面２２と略同一面になるように前後位置を調整することができる。また当該調整が完了した後、固定孔３３に固定ネジ２１を締めつけることで、前板１９と下外郭６とを固定できる。
【００４１】
また、図４に示すように、グリル部１７の後部において調理庫１８と連結している下排気筒２３と、天板１１の後方に設けられたグリル排気口２４と連結している上排気筒２５とが、前後に摺動自在に嵌合しており、調理庫１８で調理された調理物からでる油煙などが、グリル排気口２４から本体１外へと排出される。
【００４２】
グリル部１７は、キッチン前面開口８から、調理物を出し入れし、調理庫１８の前面を覆い、閉鎖して調理するための扉であるグリル扉２６を備える。また、魚等の調理物を載置するための焼き網２７と、焼き網２７を載置し、グリル扉２６の摺動と連動する、調理物から出る油や水分を受けるための受け皿２８が、調理庫１８内に収納されている。
【００４３】
上記構成にすることにより、図１のように、本体１をキッチン２に組込み設置した状態において、上ユニット４の上外郭７の左右幅よりも下ユニット５の下外郭６の左右幅のほうが小さくなっている。一方、キッチン２の壁面は、通常、キッチン上面開口３よりも内側に配置されないようになっているため、キッチン前面開口８の下方に側壁面が形成されている場合でも、当該側壁面と下外郭６の側壁との間に空間９（空間距離Ｃが確保される部分）が形成されることにより、キッチン前面開口８から手を差し入れることが容易となるため、調理庫１８と連結した前板１９を本体１側方より把持し、グリル部１７のみを前後方向に移動させる調整作業を簡便に行えるようになる。また、キッチン前面２２とグリル部１７の前面、本実施の形態の場合はグリル扉２６の前面、と同一面となるように、グリル部１７を前後調整した後に、下外郭６の側方に設けられた固定ネジ２１を締め付ける際、空間９があることにより、キッチン前面開口８より手を差し入れて締め付けることができるため、複雑な機構なしに手軽にグリル部１７を固定することが可能となる。
【００４４】
さらに、従来、本体１全体を、キッチン上面開口３と上外郭７ないしそれに相当するような外郭ケースとの前後方向の間隔である前後方向クリアランス３１に前後方向の調整代（調整幅）が限定されていたが、上記構成にすることにより、グリル部１７を前後調整して、キッチン前面２２と同一面とするため、前後方向クリアランス３１を前後調整のために確保する必要がなくなり、上外郭７の前後方向の寸法をキッチン上面開口３の前後方向とほぼ同寸法にすることが可能になる。また、キッチン２の上面前方に凸状のキッチンの前垂れ３２があるようなキッチンの場合は、天板１１、前方向の寸法を大きくすると、相互に干渉するのでキッチン前面２２の位置合わせが困難になるが、上記構成では、容易になる。
【００４５】
また、固定ネジ２１を、下外郭６に開けられた長孔２０から取外す、或いは緩めることにより、キッチン２組込み状態でキッチン前面開口８より手を差し入れて、前板１９ないし、調理庫１８を把持し、グリル部１７を前方向に移動させることができるため、グリル部１７のみを簡単な機構でかつ容易にキッチン前面開口８よりキッチン２の外に突出させる、或いは、取り外し可能にすることができるため、グリル部１７の故障点検や、お掃除、メンテナンス、交換などが手軽になり、サービス、メンテナンス性に優れた組込み型加熱調理器を提供することができる。
【００４６】
（実施の形態２）
図５は、本発明の第２の実施の形態における組込み型加熱調理器の正面断面図を示すものである。
【００４７】
図５に示されるように、本実施の形態では、グリル部１７の左側面と下外郭６の左側面との左右方向の空間距離Ａよりも、下外郭６の左側面と上外郭７の左側面との空間距離Ｂの方が大きく、同様に、グリル部１７の右側面と下外郭６の右側面との左右方向の空間距離よりも、下外郭６の右側面と上外郭の右側面との空間距離の方が大きくなるように、上ユニット４の下方に下ユニット５を取り付け結合した点において異なっている。その他は実施の形態１と同様であるため、説明を省略する。
【００４８】
上記構成にしたことにより、グリル部１７を構成する前板１９および下外郭６の横幅を小さくすることができるため、構成材料の使用量の低減が可能になり、コストを低減することができる。
【００４９】
また、前板１９に設けられた長孔２０を貫通する固定ネジ２１を締め付けて、前板１９を下外郭６に固定するための固定ネジ２１の最大長さは、グリル部１７の側壁とこの側壁に対向する下外郭６の側壁との左右方向の空間距離Ａになる。また、上外郭７の側壁とこの側壁の側に位置する下外郭６の側壁との左右方向の空間距離Ｂよりも、キッチン壁面と下外郭６との空間距離Ｃの方が大きいので、キッチン壁面と下外郭６との空間距離Ｃは、空間距離Ａよりも大きい。このように、キッチン壁面と下外郭６との空間距離Ｃを大きくすることができるので、キッチン前面開口８から手を入れて、固定ネジ２１を緩めたり、または、締め付けたりする際に、容易に固定ネジ２１を、本体１をキッチン２に組み込んだまま、キッチン前面開口８より手を入れて、グリル部１７を下外郭６に固定させたり、固定を解除することができるようになる。そのため、簡単にグリル部１７の前後位置調整や、グリル部１７の取り外し等が可能になる。
【００５０】
（実施の形態３）
図６は本発明の第３の実施の形態における組込み型加熱調理器のグリル部の前後位置調整構成を示す要部斜視図、図７は同組込み型加熱調理器のグリル部の他の前後位置調整構成を示す要部斜視図を示すものである。
【００５１】
図６に示されるように、本実施の形態では、グリル部１７は、グリル部１７を構成する前板１９を前方から後方に貫通する締結部である固定ネジ２１ａを備え、下外郭６は、固定ネジ２１ａが螺合される被締結部である固定孔３３ａを備え、グリル部１７は、固定ネジ２１ａを締め付けることにより下外郭６に固定される点において異なっている。その他は、実施の形態１と同様であるため、説明を省略する。
【００５２】
上記構成にすることにより、キッチン前面開口８から人の手を差し入れて、前板１９ないし、調理庫１８を把持して前後調整した後、本体１前方より固定ネジ２１ａを下外郭６に形成したと固定することにより、側方から固定ネジ２１（図３参照）を締め付けて固定するよりも、手軽に固定することが可能になる。
【００５３】
本実施の形態において、図７に示されるように、前板１９と下外郭６との間にコイルバネ３３ｂを用いて、前板１９と下外郭６との間に反発力を作用させて、前板１９のガタツキを抑制させる構成としてもよい。また、コイルバネ３３ｂは板バネ等を用いてもよい。
【００５４】
（実施の形態４）
図８は本発明の第４の実施の形態における組込み型加熱調理器のグリル部の前後位置調整機構を示す要部斜視図である。
【００５５】
図８に示されるように、本実施の形態では、上外郭７の底面の下面に取り付けられ被摺動部３４ａａが形成された上前後調整部３４ａおよび調理庫１８の上面に取り付けられ摺動部３４ｂａが形成された下前後調整部３４ｂを備え、被摺動部３４ａａ上を摺動部３４ｂａが前後に摺動することでグリル部１７が下外郭６に対して前後方向に移動するように構成された前後調整機構３４を有する点、および下外郭６に設けられた固定ネジ３６（固定部）が下外郭６の外側から操作されることによりグリル部１７が下外郭６に固定される点において第１の実施の形態の構成と異なっている。その他は、第１の実施の形態と同様であるため、説明を省略する。
【００５６】
上記構成にすることにより、グリル部１７の前後位置調整は、上前後調整部３４ａの被摺動部３４ａａ上を下前後調整部３４ｂの摺動部３４ｂａが摺動することによって行われるため、簡素な機構でグリル部１７の前後位置を調整し、外観品位を向上させることができる。このとき、上前後調整部３４ａと下前後調整部３４ｂの間にボールやグリスなど摺動を補助するものを追加してもよい。例えば、ボールベアリング付きのレールまたはボールベアリング無しのレールで前後位置調整してもよい。
【００５７】
さらに、上前後調整部３４ａ上を下前後調整部３４ｂが摺動する場合には、下前後調整部３４ｂの上部には空間が必要となり、下前後調整部３４ｂが上下方向に安定せずガタツキがある。この時、図３のように、グリル部１７の前方は前後調整を固定するための固定ネジ２１によって、ある程度前記ガタツキを抑制することが可能であるが、グリル部１７の後方には上下方向を抑制するものがないため、出荷時やキッチン設置時などのときに、下外郭６内で、グリル部１７が上下方向に動き、上ユニット４内の部品やグリル部１７自身の故障や損傷の恐れがある。しかしながら本実施の形態の構成にすることにより、グリル部１７後方の位置に、固定ネジ３６が押し当てられるように固定ネジ３６を下外郭６に設けて、すなわち、固定ネジ３６を下外郭６に設けたネジ穴に螺合させ固定ネジ３６の頭を回転させて先端を調理庫１８の側面に押し当て下外郭６にグリル部１７を固定することで、上下のガタツキを抑制し、出荷、運搬キッチン設置時などに予想される損傷や破損することを防ぐことができるようになる。
【００５８】
したがって、グリル部１７は固定ネジ３６で下外郭６に、出荷時およびキッチン設置時などに仮に固定され、キッチン設置後は、固定ネジ３６による仮固定を解除してもよい。また固定ネジ３６を、固定ネジ２１と同様に前後調整後にグリル部１７を下外郭６に固定するためのネジ（締結部）として使用してもよい。また、図８においては、下外郭６の側面に設けたネジ穴に螺合させ側方より固定ネジ３６を締め込んでグリル部１７を固定しているが、下外郭６の底面に設けたネジ穴に螺合させ下方からネジ頭を回転させて締め込みグリル部１７を固定してもよい。要するに、グリル部１７の上下方向のガタツキすなわち移動を抑制できる位置であれば、固定ネジ３６をどこに配してもよい。
【００５９】
（実施の形態５）
図９は本発明の第５の実施の形態における組込み型加熱調理器の側面断面図である。
【００６０】
図９に示されるように、本実施の形態では、上ユニット４に設けられたグリル排気口２４とグリル部１７に設けられた調理庫１８とを伸縮自在な伸縮部３７ａを有する排気筒３７で連結する構成とした点において第１の実施の形態の構成と異なっている。その他は、第１の実施の形態と同様であるため、説明を省略する。
【００６１】
上記構成にすることにより、グリル部１７の前後位置移動に連動して伸縮部３７ａも伸縮するため、グリル部１７の前後の位置移動による排気筒３７の長さの変動を伸縮部３７ａで吸収することで、容易に前後調整することができる。また、排気筒３７は、調理庫１８からグリル排気口２４まで、隙間がない構成となっているため、調理庫１８から出た油煙などが本体１内に漏れることなく、本体１の外側へと排出することができる。
【００６２】
（実施の形態６）
図１０は本発明の第６の実施形態における組込み型加熱調理器のグリル部の前板の構成を示す斜視図、図１１は同組込み型加熱調理器のグリル部の前板の他の構成を示す斜視図を示すものである。
【００６３】
図１０に示されるように、本実施の形態では、グリル部１７を構成し調理庫１８と連結される前板１９に少なくとも人の指が掛かる程度の凸部３８もしくは凹部３９を設け、この凸部３８もしくは凹部３９に人の指を掛けて前後調整することができるようにした点において第１の実施の形態の構成と異なっている。その他は第１の実施の形態と同様であるため、説明を省略する。
【００６４】
上記構成にしたことにより、キッチン前面開口８から人の手を差し入れ、グリル部１７を構成する前板１９を掴んで前後調整する際、前板１９に形成された凸部３８もしくは凹部３９に人の指を掛けて前後調整することで、平坦な前板１９を把持するよりも、容易に前後調整することができる。この時、凸部３８を形成する際に同時に形成される凸穴部４０に、キッチン前面開口８を隠すためのサイドパネル１０を係合させてもよい。
【００６５】
なお、凸部３８もしくは凹部３９を前板１９に形成せず、例えば、調理庫１８などのグリル部１７の構成部品に形成してもよい。また、図１０に示した凸部３８や凹部３９を設けることに代え、図１１に示されるように、前板１９もしくはグリル部１７に取手４１を取り付けても、上記と同様の効果を得ることができる。
【００６６】
（実施の形態７）
図１２は本発明の第７の実施形態における組込み型加熱調理器の下面斜視図である。
【００６７】
図１２に示されるように、本実施の形態では、グリル部１７を前後調整する時に生じる隙間４２を塞ぐようなカバー４３を下外郭６に設けた点において異なっている。その他の点は、第１の実施の形態と同様であるため、説明を省略する。
【００６８】
上記構成にすることにより、グリル部１７と下外郭６とに隙間４２ができても、それをカバー４３によって塞ぐことができるため、外観を損ねず、かつ、グリル部１７からの熱気をキッチン壁面等に直接当たらないようにすることができる。
【００６９】
（実施の形態８）
図１３は本発明の第８の実施の形態における組込み型加熱調理器の図である。
【００７０】
図１３に示されるように、本実施の形態では、グリル扉２６の前面を覆うグリルパネル４４が、グリル扉２６に交換可能に取り付けられた点において第１の実施の形態の構成と異なっている。その他の点は、第１の実施の形態と同様であるため、説明を省略する。
【００７１】
上記構成にすることにより、グリルパネル４４を交換するだけで、様々なデザインをもつキッチン前面２２と調和がとれるようになり、組込み設置側のキッチンを選ばずに設置可能にできる。この時、種々のキッチンに対応した種々のグリルパネル４４の厚みがそれぞれ異なる場合においても、グリル部１７の前後位置を調整することができるため、様々なキッチン前面２２とグリルパネル４４の前面とを同一面にすることが可能となり、外観デザイン性および外観品位に優れる組込み型加熱調理器を提供することができる。
【００７２】
なお、上記第１の実施の形態１〜第８の実施の形態の構成は適宜組み合わせて使用することができる。
【産業上の利用可能性】
【００７３】
以上のように、本発明にかかる加熱調理器は、特に一般家庭等のキッチンに組み込まれて使用される組込み式加熱調理器において、キッチンへ組込み設置した状態でのグリル部の前面の前後位置調整を簡単に行い、また、グリル部のサービスメンテナンス性を要する加熱調理器にも適用することができる。
【符号の説明】
【００７４】
１  本体
２  キッチン
３  キッチン上面開口
４  上ユニット
５  下ユニット
６  下外郭
７  上外郭
７ａ  開口部
８  キッチン前面開口
９  空間
１０  サイドパネル
１１  天板
１２  加熱体
１３  操作部
１４  インバーター基板
１５  冷却ファン
１６  排気口
１７  グリル部
１８  調理庫
１９  前板
２０  長孔
２１  固定ネジ
２１ａ  固定ネジ
２２  キッチン前面
２３  下排気筒
２４  グリル排気口
２５  上排気筒
２６  グリル扉
２７  焼き網
２８  受け皿
２９  制御線
３０  接続穴
３１  前後方向クリアランス
３２  前垂れ
３３  固定孔
３３ａ  固定孔
３３ｂ  コイルバネ
３４  前後調整機構
３４ａ  上前後調整部
３４ａａ  被摺動部
３４ｂ  下前後調整部
３４ｂａ  摺動部
３６  固定ネジ
３７  排気筒
３７ａ  伸縮部
３８  凸部
３９  凹部
４０  凸穴部
４１  取手
４２  隙間
４３  カバー
４４  グリルパネル
Ａ、Ｂ、Ｃ  空間距離
【図１】
2015031402.tif 000003
【図２】
2015031402.tif 000004
【図３】
2015031402.tif 000005
【図４】
2015031402.tif 000006
【図５】
2015031402.tif 000007
【図６】
2015031402.tif 000008
【図７】
2015031402.tif 000009
【図８】
2015031402.tif 000010
【図９】
2015031402.tif 000011
【図１０】
2015031402.tif 000012
【図１１】
2015031402.tif 000013
【図１２】
2015031402.tif 000014
【図１３】
2015031402.tif 000015
【図１４】
2015031402.tif 000016
【図１５】
2015031402.tif 000017
【図１６】
2015031402.tif 000018
【図１７】
2015031402.tif 000019